(57)【要約】【課題】身頃部および左右袖部から形成され、腕を上げ下ろししやすく着心地の良い袖付き衣類の一例であるアンダーシャツを提供する。【解決手段】アンダーシャツは、身頃部（前身頃１１０および後身頃１３０）および左右袖部（左袖１２０および右袖１４０）から形成され、袖部の袖幅（Ｌ（Ｆ）＋Ｌ（Ｂ））における後袖幅（Ｌ（Ｂ））に対する前袖幅（Ｌ（Ｆ））の長さ比率が１２０％以上２２０％以下である。また、袖部の縫合線（左袖縫合線および右袖縫合線）が脇線（ここでは前身頃１１０と後身頃１３０とを左右で縫合する左身頃縫合線および右身頃縫合線に一致）よりも背側に位置する。【選択図】図３
2019148030.tif 000002
【特許請求の範囲】
【請求項１】
少なくとも身頃部および左右袖部から形成される袖付き衣類であって、
前記袖部の袖幅における後袖幅に対する前袖幅の長さ比率が１２０％以上であることを特徴とする袖付き衣類。
【請求項２】
前記長さ比率が２２０％以下であることを特徴とする、請求項１に記載の袖付き衣類。
【請求項３】
前記袖部の縫合線が脇線よりも背側に位置することを特徴とする、請求項１または請求項２に記載の袖付き衣類。
【発明の詳細な説明】
【技術分野】
【０００１】
本発明は、少なくとも身頃部および左右袖部から形成される袖付き衣類に関し、特に、腕を上げ下ろししやすい袖付き衣類に関する。
【背景技術】
【０００２】
一般に、身頃部および左右袖部（袖の長さは限定されない）から形成される袖付き衣類（アンダーシャツ等に代表される下着である袖付き衣類にも下着ではないポロシャツ等の袖付き衣類にも限定されない）を着用した状態で腕を上げたり下げたりすると衣類の脇下部に引きつれ現象が生じる傾向がある。このような袖付き衣類の一種として、身体を捻り、腕を振り回すスポーツ（たとえば、ゴルフ、テニス等）を行なう際に着用する上衣としては、ポロシャツまたはＴシャツのようなカット・アンド・ソーンによるニットシャツが多用されている。このようなニットシャツは前身頃と後身頃との幅は同寸法で、袖ぐりは、布製の衣服のようなカーブを付けず、ルーズフィットで直線的として、袖は前袖と後袖における袖付け線を袖山線（袖の中心線）に対してほぼ対称にカーブさせて、前袖と後袖との差をなくしている。このように、従来のニットシャツは、袖が前に出るような構造になっていなかったので、ゴルフ等の運動時に身体の捻り、腕の振り回しが大きいので、ゴルフ等を行なう時に着用するのに適していなかったという問題があった。このような問題は、このようなニットシャツの下に着用する下着であるアンダーシャツにおいても同じように生じることになる。
【０００３】
このような問題に対して、特許第４９２９３１０号公報（特許文献１）は、腕の振り回し時、身体の捻り時にも窮屈感のないニットシャツを開示する。この特許文献１の第００２９段落および００３０段落には、以下の記載がある。
図３は縫製したニットシャツを着用した状態を上から見たものとして模式的に示したものであり、袖は片側のみ示した。図３（ａ）は従来のニットシャツを着用した状態であり、身頃１、２に対して袖１０が真横に付いており、身体Ｍの両サイドに隙間が生じ、フィット性がない。フィット性を求めて小さ目なニットシャツを着用すると、図３（ｂ）に示すように、矢印Ｎで示すように前側の肩先と後側の肩先が服で押圧され、窮屈である。図３（ｃ）に示すように、本発明のニットシャツを着用した状態では、袖１０が前方向に付いているので、腕の振り回しも行いやすく、また、身体Ｍにフィットしていても、窮屈でなく、着心地がよい。
【０００４】
すなわち、特許文献１に開示されたニットシャツは、袖ぐりを前方向にずらすとともに、袖付け線のカーブも前袖側を後袖よりも窪ませて、袖が前側に付くようにしているので、ゴルフのスイングのように腕を振り回しても窮屈感がない。
【先行技術文献】
【特許文献】
【０００５】
【特許文献１】特許第４９２９３１０号公報
【発明の概要】
【発明が解決しようとする課題】
【０００６】
しかしながら、主として腕を振り回した時の窮屈感の解消を課題とした特許文献１（特に図３（ｃ））に開示されたニットシャツでは、腕を振り回し動作よりももっと頻度が高い腕の（身体略側方への）上げ下ろし動作の時に腕を上げると、袖が前側に付くようにして袖の前側が逃げて腕を上げやすくしているので、袖の前側が捲れ上がり短くなり着心地が好ましくない。
【０００７】
本発明は、従来技術の上述の問題点に鑑みて開発されたものであり、その目的とするところは、少なくとも身頃部および左右袖部から形成される袖付き衣類に関し、腕を上げ下ろししやすく着心地の良い袖付き衣類を提供することである。
【課題を解決するための手段】
【０００８】
上記目的を達成するため、本発明に係る袖付き衣類は以下の技術的手段を講じている。
すなわち、本発明に係る袖付き衣類は、少なくとも身頃部および左右袖部から形成され
る袖付き衣類であって、前記袖部の袖幅における後袖幅に対する前袖幅の長さ比率が１２０％以上であることを特徴とする。
好ましくは、前記長さ比率が２２０％以下であるように構成することができる。
【０００９】
さらに好ましくは、前記袖部の縫合線が脇線よりも背側に位置するように構成することができる。
【発明の効果】
【００１０】
本発明によれば、少なくとも身頃部および左右袖部から形成される袖付き衣類であって、腕を上げ下ろししやすく着心地の良い袖付き衣類を提供することができる。
【図面の簡単な説明】
【００１１】
【図１】本発明の第１の実施の形態に係るセットイン袖タイプのアンダーシャツ１００を平面に載置した状態における正面図である。
【図２】図１のアンダーシャツ１００を平面に載置した状態における背面図である。
【図３】図１のアンダーシャツ１００の型紙を示す平面図（紙面表面が肌に当接する面）である。
【図４】図１のアンダーシャツ１００の特徴的な構造を説明するための図（その１）である。
【図５】図１のアンダーシャツ１００の特徴的な構造を説明するための図（その２）である。
【図６】本発明の第２の実施の形態に係るラグラン袖タイプのアンダーシャツ２００を平面に載置した状態における正面図である。
【図７】図６のアンダーシャツ２００を平面に載置した状態における背面図である。
【図８】図６のアンダーシャツ２００の型紙を示す平面図（紙面表面が肌に当接する面）である。
【図９】図６のアンダーシャツ２００の特徴的な構造を説明するための図（その１）である。
【図１０】図６のアンダーシャツ２００の特徴的な構造を説明するための図（その２）である。
【発明を実施するための形態】
【００１２】
以下、本発明の実施の形態として、袖付き衣類の一例である（半袖の）アンダーシャツ１００およびアンダーシャツ２００を、図面に基づき詳しく説明する。以下においては、本発明の第１の実施の形態として、図１〜図５を参照してセットイン袖タイプのアンダーシャツ１００を説明し、本発明の第２の実施の形態として、図６〜図１０を参照してラグラン袖タイプのアンダーシャツ２００を説明する。
【００１３】
なお、本発明に係る袖付き衣類は、アンダーシャツ（半袖ではなく長袖であっても構わない）に限定されるものではなく、少なくとも身頃部および左右袖部から形成される袖付き衣類であれば構わず、アンダーシャツ等に代表される下着である袖付き衣類であっても、下着ではないポロシャツ等の袖付き衣類であっても構わない。なお、このセットイン袖タイプのアンダーシャツ１００の身頃は前身頃１１０と後身頃１３０とを縫合して形成されるが、このような前身頃１１０と後身頃１３０とを縫合した身頃に限定されるものではなく、同じように、このラグラン袖タイプのアンダーシャツ２００の身頃は前身頃２１０と後身頃２３０とを縫合して形成されるが、このような前身頃２１０と後身頃２３０とを縫合した身頃に限定されるものではない。
［第１の実施の形態］
まず、第１の実施の形態であるセットイン袖タイプのアンダーシャツ１００を説明する。図１は、アンダーシャツ１００を平面に載置した状態における正面図であって、図２はその背面図であって、図３はこのアンダーシャツ１００の型紙を示す平面図（紙面裏面が肌に当接する面）であって、図４および図５はこのアンダーシャツ１００の特徴的な構造を説明するための図である。なお、これらの図においては、上下左右前後方向は、着用者を基準とした方向であって、図示した通りである。
【００１４】
これらの図を参照して、このアンダーシャツ１００が備える技術的特徴について説明す
る。
このアンダーシャツ１００は、少なくとも身頃部（より詳しくは前身頃１１０および後身頃１３０）および左右袖部（より詳しくは左袖１２０および右袖１４０）から形成される袖付き衣類の一例であって、袖部の袖幅（より詳しくは図３（Ｃ）および図４（Ｂ）に示すＬ（Ｆ）＋Ｌ（Ｂ））における後袖幅（長さＬ（Ｂ））に対する前袖幅（長さＬ（Ｆ））の長さ比率が１２０％以上である。また、この長さ比率が２２０％以下であることも好ましい。また、袖部の縫合線（左袖縫合線１２２および右袖縫合線１４２）が脇線１７０（ここでは前身頃１１０と後身頃１３０とを左右で縫合する左身頃縫合線１１４Ｌおよび右身頃縫合線１１４Ｒに相当するがこのような縫合線が存在しない場合にはアームホールの最下点から前側ウエストライン１１８または後側ウエストライン１３８に略垂直に下ろした垂線）よりも背側に位置することも好ましい。
【００１５】
ここで、袖部の袖幅（Ｌ（Ｆ）＋Ｌ（Ｂ））における後袖幅（長さＬ（Ｂ））と前袖幅（長さＬ（Ｆ））とは袖山線１５０により分割され、その分割された長さ比率が上述した範囲であることをこのアンダーシャツ１００は特徴として備える。ここで、図３（Ｃ）の型紙における袖山線１５０とは、セットイン袖タイプにおける一般的な袖山線であって、袖山点から袖口線に略垂直に下ろした垂線を意味する。平面に載置した状態における正面図である図１において、この袖山線１５０は線分ＬＹ（縫合しろを除く）で現れている。そして、図１においては、この線分ＬＹの延長線上に（図５に２点鎖線で示すように）、肩線１３０Ｓに対応する線分ＬＸ（縫合しろを除く）が位置する。このように、図３（Ｃ）に示す型紙における袖山線１５０は、図１に示す線分ＬＹとして平面に載置した状態において現れ、図３（Ｂ）に示す型紙における肩線１３０Ｓは、図１に示す線分ＬＸとして平面に載置した状態において現れ、線分ＬＸと線分ＬＹとが一直線上に位置する。
【００１６】
図１〜図５を参照して、さらに詳しく、このアンダーシャツ１００について説明する。
図１〜図５に示すように、このアンダーシャツ１００は、前身頃１１０と後身頃１３０と左袖１２０と右袖１４０とで形成される。
まず、このアンダーシャツ１００を形成する型紙について説明する。
前身頃１１０は、その型紙を示す図３（Ａ）を参照して、
前側ウエストライン１１８、
左脇線１１０ＬＳおよび右脇線１１０ＲＳ、
左前アームホール１１０ＬＡＨおよび右前アームホール１１０ＲＡＨ、
左前肩線１１０ＬＵおよび右前肩線１１０ＲＵ、ならびに、
前襟ぐり１１６を、その外形線として（縫合しろ（縫い合わせしろ）とともに）形成されている。
【００１７】
後身頃１３０は、その型紙を示す図３（Ｂ）を参照して、
後側ウエストライン１３８、
左脇線１３０ＬＳおよび右脇線１３０ＲＳ、
左後アームホール１３０ＬＡＨおよび右後アームホール１３０ＲＡＨ、
左後肩線１３０ＬＵおよび右後肩線１３０ＲＵ、ならびに、
後襟ぐり１３６を、その外形線として（縫合しろ（縫い合わせしろ）とともに）形成されている。
【００１８】
左袖１２０は、その型紙を示す図３（Ｃ）を参照して、
袖山（袖山高さＬ（Ｈ１）を形成する前側袖山線１２０ＦＡＨおよび後側袖山線１２０ＢＡＨ、
袖生地を筒状に形成する前左袖下線１２０Ｆおよび後左袖下線１２０Ｂ、ならびに、
袖口を形成する前袖口線１６０Ｆおよび後袖口線１６０Ｂを、その外形線として（縫合しろ（縫い合わせしろ）とともに）形成されている。
【００１９】
右袖１４０は、その型紙を示す図３（Ｃ）を参照して、
袖山（袖山高さＬ（Ｈ１））を形成する前側袖山線１４０ＦＡＨおよび後側袖山線１４０ＢＡＨ、
袖生地を筒状に形成する前右袖下線１４０Ｆおよび後右袖下線１４０Ｂ、ならびに、
袖口を形成する前袖口線１６０Ｆおよび後袖口線１６０Ｂを、その外形線として（縫合しろ（縫い合わせしろ）とともに）形成されている。
【００２０】
次に、これらの型紙に示される生地を用いてこのアンダーシャツ１００を形成するための縫合について、図３〜図５を参照して説明する。
前身頃１１０と後身頃１３０とは、
左側の側部において前身頃１１０の左脇線１１０ＬＳと後身頃１３０の左脇線１３０ＬＳとが左身頃縫合線１１４Ｌにより縫合され、
右側の側部において前身頃１１０の右脇線１１０ＲＳと後身頃１３０の右脇線１３０ＲＳとが右身頃縫合線１１４Ｒにより縫合され、
左肩部において前身頃１１０の左前肩線１１０ＬＵと後身頃１３０の左後肩線１３０ＬＵとが左肩縫合線１１２Ｌにより縫合され、
右肩部において前身頃１１０の右前肩線１１０ＲＵと後身頃１３０の右後肩線１３０ＲＵとが右肩縫合線１１２Ｒにより縫合されている。
【００２１】
左袖は前左袖下線１２０Ｆと後左袖下線１２０Ｂとが左袖縫合線１２２により縫合され筒状に形成され、
右袖は前右袖下線１４０Ｆと後右袖下線１４０Ｂとが右袖縫合線１４２により縫合され筒状に形成されている。
袖と身頃とは
左袖１２０については、左アームホールを形成する左前アームホール１１０ＬＡＨおよび左後アームホール１３０ＬＡＨに前側袖山線１２０ＦＡＨおよび後側袖山線１２０ＢＡＨが左アーム縫合線１２０ＡＨにより縫合され、
右袖１４０については、右アームホールを形成する右前アームホール１１０ＲＡＨおよび右後アームホール１３０ＲＡＨに前側袖山線１４０ＦＡＨおよび後側袖山線１４０ＢＡＨが右アーム縫合線１４０ＡＨにより縫合されている。
【００２２】
なお、このアンダーシャツ１００においては、限定されるものではないが、左アーム縫合線１２０ＡＨおよび右アーム縫合線１４０ＡＨは裏側（肌側）のみに形成され表側に縫合線が見えず、その他の縫合線（左身頃縫合線１１４Ｌ、右身頃縫合線１１４Ｒ、左肩縫合線１１２Ｌ、右肩縫合線１１２Ｒ、左袖縫合線１２２、右袖縫合線１４２）は表側および裏側（肌側）に形成され図１および図２に示すように表側に縫合線が見えている。
【００２３】
ここで、図１および図２においては、アンダーシャツ１００を平面に載置した状態を示すために、左身頃縫合線１１４Ｌおよび右身頃縫合線１１４Ｒは前側（腹側）と後側（背側）とに跨がっているために半分の幅分だけ表されている。また、このアンダーシャツ１００においては左右対称であって、前身頃１１０と後身頃１３０とをその側部で縫合する左身頃縫合線１１４Ｌおよび右身頃縫合線１１４Ｒに対して、前側ウエストライン１１８および後側ウエストライン１３８が略直角に交差する直線状に形成されている。
【００２４】
ここで、このアンダーシャツ１００は、上述した技術的特徴を備えさえすれば、このような型紙および縫合に限定されるものではない。この上述した技術的特徴をさらに詳しく以下において説明する。
このアンダーシャツ１００においては、図３（Ｃ）、図４（Ｂ）および図５に示すように、左右の袖部ともに、その袖幅（より詳しくはＬ（Ｆ）＋Ｌ（Ｂ））における後袖幅（後袖口線１６０Ｂの長さＬ（Ｂ））に対する前袖幅（前袖口線１６０Ｆの長さＬ（Ｆ））の長さ比率が１２０％以上２２０％以下である。ここで、この長さ比率は、１３０％以上２００％以下であることが特に好ましく、１５０％以上１９０％以下であることがさらに好ましい。
【００２５】
また、袖部の縫合線（左袖縫合線１２２および右袖縫合線１４２）が、前身頃１１０と後身頃１３０とを左右で縫合する左身頃縫合線１１４Ｌおよび右身頃縫合線１１４Ｒ（脇線１７０に相当）よりも背側に位置する。すなわち、袖部の縫合線（左袖縫合線１２２および右袖縫合線１４２）が、図２に示すように後側（背側）から見えて、図１に示すように前側（腹側）から見えない。なお、このアンダーシャツ１００においては前身頃１１０と後身頃１３０とを左右で縫合しているために左身頃縫合線１１４Ｌおよび右身頃縫合線
１１４Ｒが脇線１７０に相当するが、このような左身頃縫合線１１４Ｌおよび右身頃縫合線１１４Ｒが存在しない場合（前身頃ではなく左身頃および後身頃ではなく右身頃で身頃全体が形成され左右に縫合線が存在しないで前中央と後中央とに左右の身頃を縫合する縫合線が存在する場合等）には、アームホールの最下点から前側ウエストライン１１８または後側ウエストライン１３８に略垂直に下ろした垂線が脇線１７０に相当する。
【００２６】
図４においては、袖部の縫合線（この図４においては左袖１２０であるので左袖縫合線１２２）は、前左袖下線１２０Ｆと後左袖下線１２０Ｂとを縫合した縫合線であって、矢示付き２点鎖線に示すように左袖１２０が筒状になるように縫合される。この縫合位置は、袖山線１５０の位置に略一致することになり、袖山線１５０（袖部の縫合線である左袖縫合線１２２）が一点鎖線で示すように脇線１７０よりも背側に位置する。なお、袖山高さＬ（Ｈ１）と袖長さＬ（Ｈ２）との合計長さは袖山線１５０の長さになる。
【００２７】
このような技術的特徴を備えるアンダーシャツ１００によると、左右の袖においての前側（腹側）に余裕が発現できるので（この余裕は図２に示したように腹側から後袖口線１６０Ｂは見えないが背側から前袖口線１６０Ｆが見える点で示している）、腕を上げ下ろししやすく着心地が良い。
［第２の実施の形態］
続いて、第２の実施の形態であるラグラン袖タイプのアンダーシャツ２００を説明する。図６は、アンダーシャツ２００を平面に載置した状態における正面図であって、図７はその背面図であって、図８はこのアンダーシャツ２００の型紙を示す平面図（紙面裏面が肌に当接する面）であって、図９および図１０はこのアンダーシャツ２００の特徴的な構造を説明するための図である。なお、これらの図においては、上下左右前後方向は、着用者を基準とした方向であって、図示した通りである。なお、上述した図１〜図５が図６〜図１０に［それぞれ対応しており、さらに、アンダーシャツ２００の符号の中でアンダーシャツ１００に対応する符号については、数字の部分に１００を加算した符号としてある。
【００２８】
これらの図を参照して、このアンダーシャツ２００が備える技術的特徴について説明する。
このアンダーシャツ２００は、少なくとも身頃部（より詳しくは前身頃２１０および後身頃２３０）および左右袖部（より詳しくは左袖２２０および右袖２４０）から形成される袖付き衣類の一例であって、袖部の袖幅（より詳しくは図８（Ｃ）および図９（Ｂ）に示すＬ（Ｆ）＋Ｌ（Ｂ））における後袖幅（長さＬ（Ｂ））に対する前袖幅（長さＬ（Ｆ））の長さ比率が１２０％以上である。また、この長さ比率が２２０％以下であることも好ましい。また、袖部の縫合線（左袖縫合線２２２および右袖縫合線２４２）が脇線２７０（ここでは前身頃２１０と後身頃２３０とを左右で縫合する左身頃縫合線２１４Ｌおよび右身頃縫合線２１４Ｒに相当するがこのような縫合線が存在しない場合にはアームホールの最下点から前側ウエストライン２１８または後側ウエストライン２３８に略垂直に下ろした垂線）よりも背側に位置することも好ましい。
【００２９】
ここで、袖部の袖幅（Ｌ（Ｆ）＋Ｌ（Ｂ））における後袖幅（長さＬ（Ｂ））と前袖幅（長さＬ（Ｆ））とは袖山線２５０により分割され、その分割された長さ比率が上述した範囲であることをこのアンダーシャツ２００は特徴として備える。ここで、図３（Ｃ）の型紙における袖山線２５０とは、ラグラン袖タイプにおける一般的な袖山線であって、袖山点付近（図９（Ｃ）に示すようにアンダーシャツ１００とは異なり袖山点から少しずれているために付近と記載している）から袖口線に略垂直に下ろした垂線を意味する。平面に載置した状態における正面図である図６において、この袖山線２５０は線分ＬＺ（縫合部は存在しないので縫合しろなし）で現れている。そして、図６における線分ＬＺは、上述したアンダーシャツ１００を示す図１における線分ＬＹおよび線分ＬＸに対応する。このように、図８（Ｃ）に示す型紙における袖山線２５０は、図６に示す線分ＬＺとして平面に載置した状態において現れる。
【００３０】
図６〜図１０を参照して、さらに詳しく、このアンダーシャツ２００について説明する。
図６〜図１０に示すように、このアンダーシャツ２００は、前身頃２１０と後身頃２３０と左袖２２０と右袖２４０とで形成される。
まず、このアンダーシャツ２００を形成する型紙について説明する。
【００３１】
前身頃２１０は、その型紙を示す図８（Ａ）を参照して、
前側ウエストライン２１８、
左脇線２１０ＬＳおよび右脇線２１０ＲＳ、
左前アームホール２１０ＬＡＨおよび右前アームホール２１０ＲＡＨ、ならびに、
前襟ぐり２１６を、その外形線として（縫合しろ（縫い合わせしろ）とともに）形成されている。アンダーシャツ２００はラグラン袖タイプであるためにセットイン袖タイプであるアンダーシャツ１００の前身頃１１０が備える左前肩線１１０ＬＵおよび右前肩線１１０ＲＵを備えない。
【００３２】
後身頃２３０は、その型紙を示す図８（Ｂ）を参照して、
後側ウエストライン２３８、
左脇線２３０ＬＳおよび右脇線２３０ＲＳ、
左後アームホール２３０ＬＡＨおよび右後アームホール２３０ＲＡＨ、ならびに、
後襟ぐり２３６を、その外形線として（縫合しろ（縫い合わせしろ）とともに）形成されている。アンダーシャツ２００はラグラン袖タイプであるためにセットイン袖タイプであるアンダーシャツ１００の後身頃１１０が備える左後肩線１３０ＬＵおよび右後肩線１３０ＲＵを備えない。
【００３３】
左袖２２０は、その型紙を示す図８（Ｃ）を参照して、
袖山（袖山高さＬ（Ｈ１）を形成する前側袖山線２２０ＦＡＨおよび後側袖山線２２０ＢＡＨ、
袖生地を筒状に形成する前左袖下線２２０Ｆおよび後左袖下線２２０Ｂ、
袖口を形成する前袖口線２６０Ｆおよび後袖口線２６０Ｂ、ならびに、
前身頃２１０の前襟ぐり２１６および後身頃２３０の後襟ぐり２３６とともに襟ぐりを形成する左襟ぐり２２６を、その外形線として（縫合しろ（縫い合わせしろ）とともに）形成されている。
【００３４】
右袖２４０は、その型紙を示す図８（Ｃ）を参照して、
袖山（袖山高さＬ（Ｈ１））を形成する前側袖山線２４０ＦＡＨおよび後側袖山線２４０ＢＡＨ、
袖生地を筒状に形成する前右袖下線２４０Ｆおよび後右袖下線２４０Ｂ、
袖口を形成する前袖口線２６０Ｆおよび後袖口線２６０Ｂ、ならびに、
前身頃２１０の前襟ぐり２１６および後身頃２３０の後襟ぐり２３６とともに襟ぐりを形成する右襟ぐり２４６を、その外形線として（縫合しろ（縫い合わせしろ）とともに）形成されている。
【００３５】
次に、これらの型紙に示される生地を用いてこのアンダーシャツ２００を形成するための縫合について、図８〜図１０を参照して説明する。
前身頃２１０と後身頃２３０とは、
左側の側部において前身頃２１０の左脇線２１０ＬＳと後身頃２３０の左脇線２３０ＬＳとが左身頃縫合線２１４Ｌにより縫合され、
右側の側部において前身頃２１０の右脇線２１０ＲＳと後身頃２３０の右脇線２３０ＲＳとが右身頃縫合線２１４Ｒにより縫合されている。
【００３６】
なお、アンダーシャツ２００はラグラン袖タイプであるために、セットイン袖タイプであるアンダーシャツ１００がその左肩部に備える前身頃１１０の左前肩線１１０ＬＵと後身頃１３０の左後肩線１３０ＬＵとを縫合する左肩縫合線１１２Ｌを有さないで、かつ、その右肩部に備える前身頃１１０の右前肩線１１０ＲＵと後身頃１３０の右後肩線１３０ＲＵとを縫合する右肩縫合線１１２Ｒを有さない。このように、このアンダーシャツ２００は、左前肩線１１０ＬＵおよび右前肩線１１０ＲＵならびに左後肩線１３０ＬＵおよび右後肩線１３０ＲＵを備えないので、後述するように、セットイン袖タイプであるアンダーシャツ１００が備える円形状（一部の円弧状ではなく全円周状）のアームホールを、こ
のラグラン袖タイプのアンダーシャツ２００は備えず、全円周状ではなく一部の円弧状のアームホールを備える。
【００３７】
左袖は前左袖下線２２０Ｆと後左袖下線２２０Ｂとが左袖縫合線２２２により縫合され筒状に形成され、
右袖は前右袖下線２４０Ｆと後右袖下線２４０Ｂとが右袖縫合線２４２により縫合され筒状に形成されている。
袖と身頃とは
左袖２２０については、左アームホールを形成する左前アームホール２１０ＬＡＨおよび左後アームホール２３０ＬＡＨに前側袖山線２２０ＦＡＨおよび後側袖山線２２０ＢＡＨが左アーム縫合線２２０ＡＨにより縫合され、
右袖２４０については、右アームホールを形成する右前アームホール２１０ＲＡＨおよび右後アームホール２３０ＲＡＨに前側袖山線２４０ＦＡＨおよび後側袖山線２４０ＢＡＨが右アーム縫合線２４０ＡＨにより縫合されている。なお、このアンダーシャツ２００の襟ぐりは、前身頃２１０の前襟ぐり２１６および後身頃２３０の後襟ぐり２３６に加えて、左袖２２０の左襟ぐり２２６および右袖２４０の右襟ぐり２４６とで形成される。このため、このラグラン袖タイプのアンダーシャツ２００は、前身頃と後身頃とで形成される円形状（一部の円弧状ではなく全円周状）のアームホールをアンダーシャツ１００のように備えるものではないが、左前アームホール２１０ＬＡＨおよび左後アームホール２３０ＬＡＨにより左アームホールが形成され、右前アームホール２１０ＲＡＨおよび右後アームホール２３０ＲＡＨにより右アームホールが形成されているものとして説明する。
【００３８】
また、このアンダーシャツ２００においては、限定されるものではないが、全ての縫合線（左身頃縫合線２１４Ｌ、右身頃縫合線２１４Ｒ、左袖縫合線２２２、右袖縫合線２４２、左アーム縫合線２２０ＡＨ、および、右アーム縫合線２４０ＡＨ）は裏側（肌側）のみに形成され図６および図７に示すように表側に縫合線が見えない（アンダーシャツ１００の左アーム縫合線１２０ＡＨおよび右アーム縫合線１４０ＡＨと同様に点線で示している）。
【００３９】
ここで、図６および図７においては、アンダーシャツ２００を平面に載置した状態を示すために、左身頃縫合線２１４Ｌおよび右身頃縫合線２１４Ｒは前側（腹側）と後側（背側）とに跨がっているために半分の幅分だけ表されている。また、このアンダーシャツ２００においては左右対称であって、前身頃２１０と後身頃２３０とをその側部で縫合する左身頃縫合線２１４Ｌおよび右身頃縫合線２１４Ｒに対して、前側ウエストライン２１８および後側ウエストライン２３８が略直角に交差する直線状に形成されている。
【００４０】
ここで、このアンダーシャツ２００は、上述した技術的特徴を備えさえすれば、このような型紙および縫合に限定されるものではない。この上述した技術的特徴をさらに詳しく以下において説明する。
このアンダーシャツ２００においては、図８（Ｃ）、図９（Ｂ）および図１０に示すように、左右の袖部ともに、その袖幅（より詳しくはＬ（Ｆ）＋Ｌ（Ｂ））における後袖幅（後袖口線１６０Ｂの長さＬ（Ｂ））に対する前袖幅（前袖口線１６０Ｆの長さＬ（Ｆ））の長さ比率が１２０％以上２２０％以下である。ここで、この長さ比率は、１２０％以上１９０％以下であることが特に好ましく、１２５％以上１６５％以下であることがさらに好ましい。
【００４１】
また、袖部の縫合線（左袖縫合線２２２および右袖縫合線２４２）が、前身頃２１０と後身頃２３０とを左右で縫合する左身頃縫合線２１４Ｌおよび右身頃縫合線２１４Ｒ（脇線１７０に相当）よりも背側に位置する。すなわち、袖部の縫合線（左袖縫合線２２２および右袖縫合線２４２）が、図７に示すように後側（背側）から見えて、図６に示すように前側（腹側）から見えない。なお、このアンダーシャツ２００においては前身頃２１０と後身頃２３０とを左右で縫合しているために左身頃縫合線２１４Ｌおよび右身頃縫合線２１４Ｒが脇線２７０に相当するが、このような左身頃縫合線２１４Ｌおよび右身頃縫合線２１４Ｒが存在しない場合（前身頃ではなく左身頃および後身頃ではなく右身頃で身頃全体が形成され左右に縫合線が存在しないで前中央と後中央とに左右の身頃を縫合する縫
合線が存在する場合等）には、アームホールの最下点から前側ウエストライン２１８または後側ウエストライン２３８に略垂直に下ろした垂線が脇線２７０に相当する。
【００４２】
図９においては、袖部の縫合線（この図９においては左袖２２０であるので左袖縫合線２２２）は、前左袖下線２２０Ｆと後左袖下線２２０Ｂとを縫合した縫合線であって、矢示付き２点鎖線に示すように左袖２２０が筒状になるように縫合される。この縫合位置は、袖山線２５０の位置に略一致することになり、袖山線２５０（袖部の縫合線である左袖縫合線２２２）が一点鎖線で示すように脇線２７０よりも背側に位置する。なお、袖山高さＬ（Ｈ１）と袖長さＬ（Ｈ２）との合計長さは袖山線２５０の長さになる。
【００４３】
このような技術的特徴を備えるアンダーシャツ２００によると、左右の袖においての前側（腹側）に余裕が発現できるので（この余裕は図７に示したように腹側から後袖口線２６０Ｂは見えないが背側から前袖口線２６０Ｆが見える点で示している）、腕を上げ下ろししやすく着心地が良い。
［実施の形態の作用効果］
以上のようにして、本実施の形態に係るアンダーシャツによると、少なくとも身頃部および左右袖部から形成され、腕を上げ下ろししやすく着心地の良い袖付き衣類の一例であるアンダーシャツを提供することができる。
【００４４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４５】
本発明は、少なくとも身頃部および左右袖部から形成される袖付き衣類に好適であり、腕を上げ下ろししやすく着心地の良い点で特に好適である。
【符号の説明】
【００４６】
１００、２００  アンダーシャツ
１１０、２１０  前身頃
１２０、２２０  左袖
１３０、２３０  後身頃
１４０、２４０  右袖
【図１】
2019148030.tif 000003
【図２】
2019148030.tif 000004
【図３】
2019148030.tif 000005
【図４】
2019148030.tif 000006
【図５】
2019148030.tif 000007
【図６】
2019148030.tif 000008
【図７】
2019148030.tif 000009
【図８】
2019148030.tif 000010
【図９】
2019148030.tif 000011
【図１０】
2019148030.tif 000012